(57)【要約】      （修正有）【課題】板状部材に絵などの表示部を確実に設けることができ、かつ、意匠性を向上させることができるかわり屏風を提供する。【解決手段】かわり屏風１０は、複数の板状部材１１〜１４を直列に配置してなる。板状部材１１〜１４は、第１面Ａ１〜Ａ４及び第２面に表示部２０を有する。隣接する板状部材１１〜１４同士は、一対の外側連結部材３１，３２と一対の内側連結部材４２，４３とを介して連結される。なお、各内側連結部材４２，４３は、表示部２０と外側連結部材３１，３２との間に配置される。また、第１面Ａ１〜Ａ４側において配列方向に沿って延びる外側連結部材及び内側連結部材の合計数と、第２面側において配列方向に沿って延びる外側連結部材及び内側連結部材の合計数とが等しくなる。【選択図】図１
0003157704.tif 000002
【実用新案登録請求の範囲】
【請求項１】
第１面及び第２面を有し、前記第１面及び前記第２面の少なくとも一方に表示部を有する複数の板状部材を直列に配置してなり、
隣接する前記板状部材同士が、前記板状部材の配列方向に直交する幅方向において外端部に配置された帯状または線状の外側連結部材と、前記板状部材の幅方向において前記外側連結部材よりも内側寄りに配置された帯状または線状の内側連結部材とを介して連結され、
前記複数の板状部材が順番に倒れて裏返しになる際に、前記板状部材が前記第１面側に倒れて裏返しになる動きと、前記板状部材が前記第２面側に倒れて裏返しになる動きとが交互に起こるかわり屏風であって、
前記外側連結部材及び前記内側連結部材が一対ずつ設けられ、それぞれの前記内側連結部材が前記表示部と前記外側連結部材との間に配置され、
前記第１面上及び前記第２面上の全てにおいて、一対の前記外側連結部材または一対の前記内側連結部材が、前記板状部材の配列方向に沿って延びており、
前記第１面側において配列方向に沿って延びる前記外側連結部材及び前記内側連結部材の合計数と、前記第２面側において配列方向に沿って延びる前記外側連結部材及び前記内側連結部材の合計数とが等しい
ことを特徴とするかわり屏風。
【考案の詳細な説明】
【技術分野】
【０００１】
本考案は、玩具の一種であるかわり屏風に関するものである。
【背景技術】
【０００２】
古来より、江戸型や京阪型のかわり屏風が知られている（例えば非特許文献１参照）。かわり屏風は、木製や紙製の板状部材を直列に配置することによって構成され、全体として屏風状をなしている。なお、隣接する板状部材同士は、板状部材の両端部及び中央部にそれぞれ配置されたテープを介して連結されている。そして、かわり屏風を垂直に把持した状態で最上部に位置する板状部材を倒して裏返しにすると、下側の板状部材も順番に裏返しになり、板状部材の裏側に隠れていた絵が表に現われるようになる。
【先行技術文献】
【非特許文献】
【０００３】
【非特許文献１】鎌田道隆著「つくって遊ぶ！からくり玩具（ＮＨＫ趣味悠々）」日本放送出版協会、２００４年６月
【考案の概要】
【考案が解決しようとする課題】
【０００４】
しかし、板状部材の中央部にテープが存在していると、かわり屏風の面白味が半減してしまう。具体的に言うと、板状部材の表面や裏面に絵を描こうとしても、中央部にあるテープが邪魔になるために困難である。そこで、テープの表面に絵の一部を無理やり描くことが従来から提案されているが、テープがずれた際に絵が綺麗に見えなくなってしまう。
【０００５】
本考案は上記の課題に鑑みてなされたものであり、その目的は、板状部材に絵などの表示部を確実に設けることができ、かつ、意匠性を向上させることができるかわり屏風を提供することにある。
【課題を解決するための手段】
【０００６】
上記の課題を解決するために、請求項１に記載の考案は、第１面及び第２面を有し、前記第１面及び前記第２面の少なくとも一方に表示部を有する複数の板状部材を直列に配置してなり、隣接する前記板状部材同士が、前記板状部材の配列方向に直交する幅方向において外端部に配置された帯状または線状の外側連結部材と、前記板状部材の幅方向において前記外側連結部材よりも内側寄りに配置された帯状または線状の内側連結部材とを介して連結され、前記複数の板状部材が順番に倒れて裏返しになる際に、前記板状部材が前記第１面側に倒れて裏返しになる動きと、前記板状部材が前記第２面側に倒れて裏返しになる動きとが交互に起こるかわり屏風であって、前記外側連結部材及び前記内側連結部材が一対ずつ設けられ、それぞれの前記内側連結部材が前記表示部と前記外側連結部材との間に配置され、前記第１面上及び前記第２面上の全てにおいて、一対の前記外側連結部材または一対の前記内側連結部材が、前記板状部材の配列方向に沿って延びており、前記第１面側において配列方向に沿って延びる前記外側連結部材及び前記内側連結部材の合計数と、前記第２面側において配列方向に沿って延びる前記外側連結部材及び前記内側連結部材の合計数とが等しいことを特徴とするかわり屏風をその要旨とする。
【０００７】
従って、請求項１に記載の考案によると、板状部材に対してテープなどの内側連結部材が一対設けられ、それぞれの内側連結部材が表示部と外側連結部材との間に配置されているため、内側連結部材に邪魔されることなく表示部を板状部材に設けることができる。また、内側連結部材が表示部と外側連結部材との間に配置されることで、表示部は常時綺麗に見えるようになるため、かわり屏風の意匠性を向上させることができる。
【０００８】
しかも、第１面上及び第２面上の全てに一対の外側連結部材または一対の内側連結部材が設けられ、外側連結部材及び内側連結部材の合計数が第１面側と第２面側とで等しくなる。その結果、外側連結部材及び内側連結部材が綺麗に整った状態で配置されるため、かわり屏風の意匠性が向上する。
【図面の簡単な説明】
【０００９】
【図１】本実施形態のかわり屏風を示す概略正面図。
【図２】かわり屏風を示す概略背面図。
【図３】（ａ）は反転前における内側テープの接続態様を示す説明図、（ｂ）は反転後における内側テープの接続態様を示す説明図。
【図４】（ａ）は反転前における外側テープの接続態様を示す説明図、（ｂ）は反転後における外側テープの接続態様を示す説明図。
【図５】外側テープ及び内側テープの接続箇所を説明するための図。
【考案を実施するための形態】
【００１０】
以下、本考案を具体化した一実施形態を図面に基づき説明する。
【００１１】
図１〜図５に示されるように、かわり屏風１０は、４枚の板状部材１１，１２，１３，１４を直列に配置することによって構成されている。各板状部材１１〜１４は、矩形状をなし、第１面Ａ１，Ａ２，Ａ３，Ａ４と、第１面Ａ１〜Ａ４の反対側に位置する第２面Ｂ１，Ｂ２，Ｂ３，Ｂ４とを有する木製の板状部材である。さらに、第１面Ａ１〜Ａ４の中央部分、及び、第２面Ｂ１〜Ｂ４の中央部分には、絵２０（表示部）が図示しない両面テープを介して貼付されている。また、第１板状部材１１の幅方向（板状部材１１〜１４の配列方向に直交する方向）における両外端には、板状部材１１〜１４を反転させる際（裏返す際）に把持される一対の把持部１５が突設されている。なお、両把持部１５に吊り紐（図示略）をかければ、かわり屏風１０を吊り下げることができる。
【００１２】
図１〜図４に示されるように、隣接する板状部材１１，１２同士は、帯状をなす一対の外側テープ３１（外側連結部材）と、同じく帯状をなす一対の内側テープ４１（内側連結部材）とを介して連結されている。即ち、本実施形態のかわり屏風１０は４列のテープを有している。両外側テープ３１は、板状部材１１，１２の幅方向における外端部に配置されている。また、両内側テープ４１は、板状部材１１，１２の幅方向において外側テープ３１よりも内側寄り（本実施形態では、絵２０と外側テープ３１との間）に配置されている。
【００１３】
具体的に言うと、外側テープ３１は、第１板状部材１１の第２面Ｂ１の下端部外側（図５（ｂ）の「Ｂ１下外」）に一方の外側テープ端３１ａが接続され、第２板状部材１２の第１面Ａ２の上端部外側（図５（ａ）の「Ａ２上外」）に他方の外側テープ端３１ｂが接続されている。さらに、両外側テープ３１は、板状部材１１〜１４の配列方向に沿って延びている。詳述すると、外側テープ３１は、第２面Ｂ１の下端部から第１面Ａ１に回り込んで第１面Ａ１上を上端部に向かって延び、さらに第１面Ａ１の上端部から第２面Ｂ１に回り込んで第２面Ｂ１上を下端部に向かって延びた後、第２面Ｂ１の下端部から第１面Ａ２に向かって延びて第１面Ａ２の上端部に接続されている。即ち、外側テープ３１は、第１面Ａ１及び第２面Ｂ１の両面に巻かれて第１板状部材１１を一回りするテープであり、第３板状部材１３を半回りしかしない外側テープ３２，３３の２倍の長さに設定されている。なお、外側テープ端３１ａの表面は、外側テープ３１における外側テープ端３１ａとは別の部分によって覆われるようになっている。
【００１４】
また図２，図３に示されるように、内側テープ４１は、第１板状部材１１の第１面Ａ１の下端部内側（図５（ａ）の「Ａ１下内」）に一方の内側テープ端４１ａが接続され、第１面Ａ２の下端部内側（図５（ａ）の「Ａ２下内」）に他方の内側テープ端４１ｂが接続されている。さらに、両内側テープ４１は、板状部材１１〜１４の配列方向に沿って延びている。詳述すると、内側テープ４１は、第１面Ａ１の下端部から第２面Ｂ２の上端部に向かって延び、さらに第２面Ｂ２上を下端部に向かって延びた後、第２面Ｂ２の下端部から第１面Ａ２に回り込んで第１面Ａ２の下端部に接続されている。
【００１５】
図１〜図４に示されるように、隣接する板状部材１２，１３同士は、帯状をなす一対の外側テープ３２（外側連結部材）と、同じく帯状をなす一対の内側テープ４２（内側連結部材）とを介して連結されている。両外側テープ３２は、板状部材１２，１３の幅方向における外端部に配置されている。また、両内側テープ４２は、板状部材１２，１３の幅方向において外側テープ３２よりも内側寄り（本実施形態では、絵２０と外側テープ３２との間）に配置されている。
【００１６】
具体的に言うと、外側テープ３２は、第２板状部材１２の第２面Ｂ２の下端部外側（図５（ｂ）の「Ｂ２下外」）に一方の外側テープ端３２ａが接続され、第３板状部材１３の第２面Ｂ３の下端部外側（図５（ｂ）の「Ｂ３下外」）に他方の外側テープ端３２ｂが接続されている。さらに、両外側テープ３２は、板状部材１１〜１４の配列方向に沿って延びている。詳述すると、外側テープ３２は、第２面Ｂ２の下端部から第１面Ａ３の上端部に向かって延び、さらに第１面Ａ３の上端部から第１面Ａ３上を下端部に向かって延びた後、第１面Ａ３の下端部から第２面Ｂ３に回り込んで第２面Ｂ３に接続されている。
【００１７】
また図１，図４に示されるように、内側テープ４２は、第２面Ｂ２の上端部内側（図５（ｂ）の「Ｂ２上内」）に一方の内側テープ端４２ａが接続され、第２面Ｂ３の上端部内側（図５（ｂ）の「Ｂ３上内」）に他方の内側テープ端４２ｂが接続されている。なお、内側テープ端４２ａの表面は、内側テープ４１によって覆われるようになっている。さらに、両内側テープ４２は、板状部材１１〜１４の配列方向に沿って延びている。詳述すると、内側テープ４２は、第２面Ｂ２の上端部から第１面Ｂ１に回り込んで第１面Ａ２上を下端部に向かって延び、さらに第１面Ａ２の下端部から第２面Ｂ３の上端部に向かって延びた後、第２面Ｂ３の上端部に接続されている。なお、内側テープ４２は、内側テープ端４１ｂの表面を覆うようになっている。
【００１８】
図１〜図４に示されるように、隣接する板状部材１３，１４同士は、帯状をなす一対の外側テープ３３（外側連結部材）と、同じく帯状をなす一対の内側テープ４３（内側連結部材）とを介して連結されている。両外側テープ３３は、板状部材１３，１４の幅方向における外端部に配置されている。また、両内側テープ４３は、板状部材１３，１４において外側テープ３３よりも内側寄り（本実施形態では、絵２０と外側テープ３３との間）に配置されている。
【００１９】
具体的に言うと、外側テープ３３は、第３板状部材１３の第１面Ａ３の上端部外側（図５（ａ）の「Ａ３上外」）に一方の外側テープ端３３ａが接続され、第４板状部材１４の第１面Ａ４の上端部外側（図５（ａ）の「Ａ４上外」）に他方の外側テープ端３３ｂが接続されている。なお、外側テープ端３３ａの表面は、外側テープ３２によって覆われるようになっている。さらに、両外側テープ３３は、板状部材１１〜１４の配列方向に沿って延びている。詳述すると、外側テープ３３は、第１面Ａ３の上端部から第２面Ｂ３に回り込んで第２面Ｂ３上を下端部に向かって延び、さらに第２面Ｂ３の下端部から第１面Ａ４に向かって延びた後、第１面Ａ４の上端部に接続されている。なお、外側テープ３３は、外側テープ端３２ｂの表面を覆うようになっている。
【００２０】
また図１，図２，図４に示されるように、内側テープ４３は、第１面Ａ３の下端部内側（図５（ａ）の「Ａ３下内」）に一方の内側テープ端４３ａが接続され、第４板状部材１４の第２面Ｂ４の上端部内側（図５（ｂ）の「Ｂ４上内」）に他方の内側テープ端４３ｂが接続されている。さらに、両内側テープ４３は、板状部材１１〜１４の配列方向に沿って延びている。詳述すると、内側テープ４３は、第１面Ａ３の下端部から第２面Ｂ４の上端部に向かって延びて第２面Ｂ４上を下端部に向かって延び、さらに第２面Ｂ４の下端部から第１面Ａ４に回り込んで第１面Ａ４上を上端部に向かって延びた後、第１面Ａ４の上端部から第２面Ｂ４に回り込んで第２面Ｂ４の上端部に接続されている。即ち、内側テープ４３は、第１面Ａ４及び第２面Ｂ４の両面に巻かれて第４板状部材１４を一回りするテープであり、第２板状部材１２を半回りしかしない内側テープ４１，４２の２倍の長さに設定されている。
【００２１】
なお図１，図２に示されるように、第１面Ａ１〜Ａ４側では、外側テープ３１，３２と内側テープ４２，４３とが交互に配置されている。また、第２面Ｂ１〜Ｂ４側では、外側テープ３１，３３と内側テープ４１，４３とが交互に配置されている。そして、第１面Ａ１〜Ａ４側において配列方向に沿って延びる外側テープ３１，３２及び内側テープ４２，４３の合計数（８本）と、第２面Ｂ１〜Ｂ４側において配列方向に沿って延びる外側テープ３１，３３及び内側テープ４１，４３の合計数（８本）とが等しくなっている。また、遊技者側（第１面Ａ１〜Ａ４側）に出現しているテープ端３１ｂ，３３ｂ，４１ａ，４３ａの合計数は８個である。
【００２２】
次に、かわり屏風１０の使用方法を説明する。
【００２３】
まず、遊技者は、かわり屏風１０の一対の把持部１５を把持し、第１板状部材１１を第２面Ｂ１側（図３（ａ），図４（ａ）に示す矢印Ｆ１方向）に倒して裏返しにする。これに伴い、第２板状部材１２が内側テープ４１に引っ張られて第１面Ａ２側（図３（ａ），図４（ａ）に示す矢印Ｆ２方向）に倒れ、第２板状部材１２が裏返しになる。次に、第２板状部材１２が第１面Ａ２側に倒れるのに伴い、第３板状部材１３が外側テープ３２に引っ張られて第２面Ｂ３側（図３（ａ），図４（ａ）に示す矢印Ｆ３方向）に倒れ、第３板状部材１３が裏返しになる。さらに、第３板状部材１３が第２面Ｂ３側に倒れるのに伴い、第４板状部材１４が内側テープ４３に引っ張られて第１面Ａ４側（図３（ａ），図４（ａ）に示す矢印Ｆ４方向）に倒れ、第４板状部材１４が裏返しになる。即ち、各板状部材１１〜１４が順番に倒れて裏返しになる際に、板状部材１１，１３が第２面Ｂ１，Ｂ３側に倒れて裏返しになる動きと、板状部材１２，１４が第１面Ａ２，Ａ４側に倒れて裏返しになる動きとが交互に起こるようになる。その結果、各板状部材１１〜１４が裏返しになると、第２面Ｂ１〜Ｂ４に貼付されている絵２０が遊技者側に出現するようになる（図３（ｂ），図４（ｂ）参照）。
【００２４】
この場合、第１板状部材１１では、第１面Ａ１側に一対の外側テープ３１が配置され、第２面Ｂ１側に一対の内側テープ４１が配置される。第２板状部材１２では、第１面Ａ２側に一対の外側テープ３２が配置され、第２面Ｂ２側に一対の外側テープ３１が配置される。第３板状部材１３では、第１面Ａ３側に一対の内側テープ４２が配置され、第２面Ｂ３側に一対の内側テープ４３が配置される。第４板状部材１４では、第１面Ａ４側に一対の内側テープ４３が配置され、第２面Ｂ４側に一対の外側テープ３３が配置される。よって、板状部材１１〜１４が裏返しになった場合であっても、第１面Ａ１〜Ａ４側において配列方向に沿って延びる外側テープ３１，３２及び内側テープ４２，４３の合計数（８本）と、第２面Ｂ１〜Ｂ４側において配列方向に沿って延びる外側テープ３１，３３及び内側テープ４１，４３の合計数（８本）とが等しくなる。また、外側テープ３１の外側テープ端３１ａは、第１板状部材１１の第２面Ｂ１の上端部外側（図５（ｂ）の「Ｂ１上外」）に出現し、内側テープ４３の内側テープ端４３ｂは、第４板状部材１４の第２面Ｂ４の下端部内側（図５（ｂ）の「Ｂ４下内」）に出現する。その結果、遊技者側（第２面Ｂ１〜Ｂ４側）に出現しているテープ端３１ａ，３２ｂ，４２ａ，４３ｂの合計数は、板状部材１１〜１４を裏返す前と同じ８個となる。
【００２５】
その後、遊技者が一対の把持部１５を把持し、第１板状部材１１を第２面Ｂ１側に倒して裏返しにすると、第２板状部材１２が外側テープ３１に引っ張られて第１面Ａ２側に倒れて裏返しになる。次に、第２板状部材１２が第１面Ａ２側に倒れるのに伴い、第３板状部材１３が内側テープ４２に引っ張られて第２面Ｂ３側に倒れ、第３板状部材１３が裏返しになる。さらに、第３板状部材１３が第２面Ｂ３側に倒れるのに伴い、第４板状部材１４が外側テープ３３に引っ張られて第１面Ａ４側に倒れ、第４板状部材１４が裏返しになる。よって、この場合も、板状部材１１，１３が第２面Ｂ１，Ｂ３側に倒れて裏返しになる動きと、板状部材１２，１４が第１面Ａ２，Ａ４側に倒れて裏返しになる動きとが交互に起こるようになる。その結果、各板状部材１１〜１４が裏返しになると、第１面Ａ１〜Ａ４に貼付されている絵２０が遊技者側に出現するようになる（図１，図３（ａ），図４（ａ）参照）。
【００２６】
従って、本実施形態によれば以下のような効果を得ることができる。
【００２７】
（１）本実施形態のかわり屏風１０では、板状部材１１〜１４の中央部にテープを１本だけ設けるのではなく、板状部材１１〜１４に対して内側テープ４１〜４３を一対設け、それぞれの内側テープ４１〜４３を絵２０と外側テープ３１〜３３との間に配置している。よって、各絵２０を、内側テープ４１〜４３に邪魔されることなく板状部材１１〜１４に設けることができる。また、内側テープ４１〜４３が絵２０と外側テープ３１〜３３との間に配置されることで、絵２０は常時綺麗に見えるようになるため、かわり屏風１０の意匠性を向上させることができる。
【００２８】
（２）例えば、外側テープ３１の外側テープ端３１ａを、第１板状部材１１の第１面Ａ１の上端部外側（図５（ａ）の「Ａ１上外」）に接続することや、内側テープ４３の内側テープ端４３ｂを、第４板状部材１４の第１面Ａ４の下端部内側（図示しない「Ａ４下内」）に接続することなどが考えられる。しかしながら、第１面Ａ１〜Ａ４側において配列方向に沿って延びる外側テープ３２及び内側テープ４２の合計数（４本）と、第２面Ｂ１〜Ｂ４側において配列方向に沿って延びる外側テープ３１，３３及び内側テープ４１，４３の合計数（８本）とが異なってしまうため、かわり屏風１０の意匠性が低下してしまう。
【００２９】
そこで本実施形態では、外側テープ３１を上記の場合よりも延長して、外側テープ端３１ａを第１板状部材１１の第２面Ｂ１の下端部外側（図５（ｂ）の「Ｂ１下外」）に接続している。それとともに、内側テープ４３上記の場合よりも延長して、内側テープ端４３ｂを第４板状部材１４の第２面Ｂ４の上端部内側（図５（ｂ）の「Ｂ４上内」）に接続している。これにより、外側テープ３１〜３３及び内側テープ４１〜４３の合計数（８本）が、第１面Ａ１〜Ａ４側と第２面Ｂ１〜Ｂ４側とで等しくなる。その結果、外側テープ３１〜３３及び内側テープ４１〜４３が綺麗に整った状態で配置されるため、かわり屏風１０の意匠性が向上する。
【００３０】
なお、本実施形態を以下のように変更してもよい。
【００３１】
・上記実施形態のかわり屏風１０は、４枚の板状部材１１，１２，１３，１４を直列に配置することによって構成されていた。しかし、かわり屏風１０は、２枚または３枚の板状部材を直列に配置することによって構成されていてもよいし、５枚以上の板状部材を直列に配置することによって構成されていてもよい。
【００３２】
なお、板状部材の枚数を変更した場合、上記実施形態と同様に、１番目の板状部材（第１板状部材１１）に接続される一対の外側テープを、第１面及び第２面の両面に巻かれて板状部材を一回りするテープとする。そして、最終番目の板状部材（４枚であれば第４板状部材１４）に接続される一対の内側テープを、第１面及び第２面の両面に巻かれて板状部材を一回りするテープとする。即ち、両面に巻かれるテープは、板状部材の枚数に関係なく４本存在する。
【００３３】
また、本願考案者は、第１面Ａ１〜Ａ４側において配列方向に沿って延びる外側テープ３１〜３３及び内側テープ４１〜４３の合計数（または、第２面Ｂ１〜Ｂ４側において配列方向に沿って延びる外側テープ３１〜３３及び内側テープ４１〜４３の合計数）を求める式を見出した。具体的に言うと、（板状部材の枚数−１）×（テープの列の数）を計算することにより、外側テープ３１〜３３及び内側テープ４１〜４３の合計数を算出することができる。なお、「板状部材の枚数−１」とは、隣接する板状部材間に生じる隙間の数を示している。また、テープ端の数は、外側テープ３１〜３３及び内側テープ４１〜４３の合計数の２倍となる。
【００３４】
・上記実施形態では、板状部材１１〜１４が有する表示部が絵２０であったが、写真などを表示部としてもよい。
【００３５】
・上記実施形態の板状部材１１〜１４は、木製の板状部材であったが、紙製や樹脂製などの板状部材であってもよい。
【符号の説明】
【００３６】
１０…かわり屏風、１１…板状部材としての第１板状部材、１２…板状部材としての第２板状部材、１３…板状部材としての第３板状部材、１４…板状部材としての第４板状部材、２０…表示部としての絵、３１，３２，３３…外側連結部材としての外側テープ、４１，４２，４３…内側連結部材としての内側テープ、Ａ１，Ａ２，Ａ３，Ａ４…第１面、Ｂ１，Ｂ２，Ｂ３，Ｂ４…第２面
【図１】
0003157704.tif 000003
【図２】
0003157704.tif 000004
【図３】
0003157704.tif 000005
【図４】
0003157704.tif 000006
【図５】
0003157704.tif 000007